(57)【要約】【課題】エレベータの保護線を容易かつ簡単に固定具に取付ける。【解決手段】エレベータの保護線取付構造は保護線２０と、固定具３０とを備えている。固定具３０は固定板３１を有し、固定板３１に保護線２０が通過する開口３２が形成され、開口３２と固定板３１の縁部との間に切欠きが設けられている。【選択図】図１
2015134660.tif 000002
【特許請求の範囲】
【請求項１】
エレベータの昇降路に設けられた、長尺物の引っ掛り防止用の保護線と、
保護線の固定具とを備え、
固定具は固定板を有し、固定板に保護線が通過する開口が形成され、固定板の開口と固定板の縁部との間に保護線が挿入可能な切欠きが形成されていることを特徴とするエレベータの保護線取付構造。
【請求項２】
エレベータの昇降路に設けられた、長尺物の引っ掛り防止用の保護線と、
保護線の固定具とを備え、
固定具の固定板と、固定板の縁部に設けられた一対のＣ形部材とを有し、
一対のＣ形部材は上下方向に配置され、かつ各Ｃ形部材の開口は互いに逆向きとなり、各Ｃ形部材内を保護線が通過することを特徴とするエレベータの保護線取付構造。
【請求項３】
エレベータの昇降路に設けられた、長尺物の引っ掛り防止用の保護線と、
保護線の固定具とを備え、
固定具は固定板を有し、この固定板にＵ字開孔と、Ｕ字開孔の両端から直線状に延びる一対の直線開孔とが形成されていることを特徴とするエレベータの保護線取付構造。
【請求項４】
エレベータの昇降路に設けられた、長尺物の引っ掛り防止用の保護線と、
保護線の固定具とを備え、
固定具は固定開口が形成された固定板と、
固定開口内に挿入され、支持部と、支持部から延びる一対の脚部と、各脚部から拡がる折曲部とを有する２股の弾性ピンとを有し、
２股の弾性ピンの支持部内に保護線が通過することを特徴とするエレベータの保護線取付構造。
【請求項５】
固定具は固定板を着脱自在に支持する支持体を更に有することを特徴とする請求項１乃至４のいずれか記載のエレベータの保護線取付構造。
【発明の詳細な説明】
【技術分野】
【０００１】
本発明は、エレベータ昇降路内の長尺物の引掛りを防止する保護線を取付けるためのエレベータの保護線取付構造に関する。
【背景技術】
【０００２】
一般に、エレベータは、昇降路と、その中を移動可能に設けられた乗りかご及びつり合いおもりとを備えている。乗りかごには、メインロープの一端が接続され、つり合いおもりには、メインロープの他端が接続されている。メインロープは、巻上機に巻きかけられている。そして、巻上機の回転によって、メインロープが移動し、乗りかご及びつり合いおもりが昇降する。また、乗りかごの下部には、給電や制御信号授受のためケーブルが垂れ下がっている。
【０００３】
またエレベータには、昇降機耐震設計、施工指針に従って、昇降路内の長尺物の引掛りを防止するため保護線が設置されている。
【先行技術文献】
【特許文献】
【０００４】
【特許文献１】特開２０１１−１７３７１２号公報
【特許文献２】特開２００３−２０６０８２号公報
【発明の概要】
【発明が解決しようとする課題】
【０００５】
しかしながら、従来より、エレベータの保護線を容易かつ簡単に取付けるエレベータの保護線取付構造は開発されていないのが実情である。
【０００６】
本発明は、このような点を考慮してなされたものであり、エレベータの保護線を容易かつ簡単に取付けることができるエレベータの保護線取付構造を提供することを目的とする。
【課題を解決するための手段】
【０００７】
本発明は、エレベータの昇降路に設けられた、長尺物の引っ掛り防止用の保護線と、保護線の固定具とを備え、固定具は固定板を有し、固定板に保護線が通過する開口が形成され、固定板の開口と固定板縁部との間に保護線が挿入可能な切欠きが形成されていることを特徴とするエレベータの保護線取付構造である。
【０００８】
本発明は、エレベータの昇降路に設けられた、長尺物の引っ掛り防止用の保護線と、保護線の固定具とを備え、固定具の固定板と、固定板の縁部に設けられた一対のＣ形部材とを有し、一対のＣ形部材は上下方向に配置され、かつ各Ｃ形部材の開口は互いに逆向きとなり、各Ｃ形部材内を保護線が通過することを特徴とするエレベータの保護線取付構造である。
【０００９】
本発明は、エレベータの昇降路に設けられた、長尺物の引っ掛り防止用の保護線と、保護線の固定具とを備え、固定具は固定板を有し、この固定板にＵ字開孔と、Ｕ字開孔の両端から直線状に延びる一対の直線開孔とが形成されていることを特徴とするエレベータの保護線取付構造である。
【００１０】
本発明は、エレベータの昇降路に設けられた、長尺物の引っ掛り防止用の保護線と、保護線の固定具とを備え、固定具は固定開口が形成された固定板と、固定開口内に挿入され、支持部と、支持部から延びる一対の脚部と、各脚部から拡がる折曲部とを有する２股の弾性ピンとを有し、２股の弾性ピンの支持部内に保護線が通過することを特徴とするエレベータの保護線取付構造である。
【００１１】
本発明は、固定具は固定板を着脱自在に支持する支持体を更に有することを特徴とするエレベータの保護線取付構造である。
【発明の効果】
【００１２】
以上のように本実施の形態によれば、エレベータの保護線を容易かつ簡単に固定具に取付けることができる。
【図面の簡単な説明】
【００１３】
【図１】図１（ａ）は本実施の形態によるエレベータの保護線取付構造を示す図、図１（ｂ）は図１（ａ）のＩ線方向矢視図。
【図２】図２（ａ）はエレベータの保護線取付構造の作用を示す図、図２（ｂ）は図２（ａ）のII線方向矢視図。
【図３】図３はエレベータの保護線取付構造の固定具の他の構造を示す図。
【図４】図４はエレベータの保護線取付構造の変形例を示す図。
【図５】図５（ａ）はエレベータの保護線取付構造の他の変形例を示す図、図５（ｂ）はその作用を示す図。
【図６】図６（ａ）はエレベータの保護線取付構造の他の変形例を示す図、図６（ｂ）はその作用を示す図。
【図７】図７はエレベータの保護線取付構造の他の変形例を示す図。
【図８】図８はエレベータの全体構成を説明する図。
【図９】図９はエレベータの全体構成を説明する図であって図８と９０°異なる向きからみた図。
【発明を実施するための形態】
【００１４】
以下、図面を参照して本発明の実施の形態について説明する。
図１乃至図３および図８および図９は、本発明の実施の形態を示す図である。まず図８により、エレベータの全体構成を説明する。図８に示すように、エレベータの昇降路１の上部機械室２に、巻上機（図示せず）が設置されており、この巻上機のメインシーブ３にメインロープ４が吊り下げられている。そして、メインロープ４の一端には乗りかご５が懸架されている。一方、メインロープ４の他端にはつり合いおもり６が懸架されている。
【００１５】
また、乗りかご５及びつり合いおもり６の下側には、乗りかご５の位置によるメインロープ４の質量の変化を打ち消すために、コンペンロープ８が取付けられ、コンペンシーブ８には昇降路１の下部に位置するコンペンシーブ７が設けられている。さらに乗りかご５の下端に、給電や制御信号授受のためのケーブル９が吊り下げられている。ケーブル９の昇降路１の壁面側に建屋ビーム１０がある場合には、ケーブル９と建屋ビーム１０との間に、かごの昇降に伴い移動するケーブル９を保護するため、金網１１が設けられている。
【００１６】
また、図９に示すように、地震や風などによる建屋揺れによって、ロープ４、８やケーブル９等の長尺物が揺らされる。これらロープ４、８およびケーブル９が昇降路１内の機器突出物に引掛るのを防止するため、昇降路１内に昇降機耐震設計・施工指針に従い、保護線２０が設置されている。ここで図９はエレベータの昇降路１を図８と９０°異なる向きからみた図である。
【００１７】
図９に示すように、昇降路１に向って、最下階の乗り場２１ａと、中間階の乗り場２１ｂ、２１ｃが設置されている。
【００１８】
そして昇降路１に設置された保護線２０の下端は、ピット２２に設けられた係止板２５に引掛具２６を介して係止されている。保護線２０は係止板２５から上方に延びるとともに、各乗り場２１ａ、２１ｂ、２１ｃに設置された固定具３０により支持固定されている。
【００１９】
そして保護線２０と固定具３０とによりエレベータの保護線取付構造が構成される。
【００２０】
次に図１（ａ）（ｂ）乃至図３により保護線２０の固定具３０について説明する。
図１（ａ）（ｂ）および図２（ａ）（ｂ）に示すように、固定具３０は垂直方向に設置された固定板３１を有し、固定板３１に保護線２０が通過する円形状の開口３２が形成されている。また、固定板３１の開口３２と固定板３１の縁部との間に、保護線２０が挿入可能な切欠き３３が形成されている。
【００２１】
次に本実施の形態の作用について説明する。保護線２０を固定具３０に取付ける場合、まず固定板３１の切欠き３３を介して保護線２０を固定板３１の開口３２内に挿入する。この場合、保護線２０は緩んだ状態となっている（図１（ａ）（ｂ）参照）。
【００２２】
次に保護線２０を上下方向へ強く引張る。このことにより、保護線２０は開口３２の縁部に引掛って、保護線２０が開口３２から外方へ外れることを防止できる（図２（ａ）（ｂ）参照）。
【００２３】
なお、上記実施の形態において、固定板３１に円形状の開口３２を設けた例を示したが、これに限らず円形状の開口３２の代わりに、台形状の開口３２を設けてもよい（図３参照）。
【００２４】
図３に示すように、台形状の開口３２の上辺および下線は上下方向に延び、このうち下辺は切欠き３３側に位置している。
【００２５】
以上のように本実施の形態によれば、エレベータの保護線２０を容易かつ簡単に固定具３０に取付けることができる。
【００２６】
次に図４により、エレベータの保護線取付構造の変形例について説明する。図４に示すエレベータの保護線取付構造は固定具３０の構成が異なるのみであり、他の構成は図１（ａ）（ｂ）乃至図３および図６および図７に示す実施の形態と略同一である。
【００２７】
図４に示す変形例において、図１（ａ）（ｂ）乃至図３および図６および図７に示す実施の形態と同一部分には同一符号を付して詳細な説明は省略する。
【００２８】
図４に示すように、固定具３０は固定板３１と、固定板３１の縁部に設けられた一対のＣ形部材３５ａ、３５ｂとを有している。一対のＣ形部材３５ａ、３５ｂは上下方向に設置され、かつ各Ｃ形部材３５ａ、３５ｂは開口を有するとともに、各Ｃ形部材３５ａ、３５ｂの開口は互いに逆向きとなっている。
【００２９】
図４において、保護線２０を予め緩めておき、各Ｃ形部材３５ａ、３５ｂの開口から保護線２０を各Ｃ形部材３５ａ、３５ｂ内に挿入する。次に保護線２０を上下方向に強く引張ることにより、保護線２０が各Ｃ形部材３５ａ、３５ｂから外方へ外れることはない。
【００３０】
次に図５（ａ）（ｂ）により、エレベータの保護線取付構造の他の変形例について説明する。図５（ａ）（ｂ）に示すエレベータの保護線取付構造は固定具３０の構成が異なるのみであり、他の構成は図１（ａ）（ｂ）乃至図３および図６および図７に示す実施の形態と略同一である。
【００３１】
図５（ａ）（ｂ）に示す変形例において、図１（ａ）（ｂ）乃至図３および図６および図７に示す実施の形態と同一部分には同一符号を付して詳細な説明は省略する。
【００３２】
図５（ａ）（ｂ）において、固定具３０は固定板３１を有し、固定板３１にＵ字開孔３７ａと、Ｕ字開孔３７ａの上端および下端から上下方向に直線状に延びる一対の直線開孔３７ｂ、３７ｂとが形成されている。
【００３３】
図５（ａ）（ｂ）に示すように、保護線２０を予め緩めておき、Ｕ字開孔３７ａおよび一対の直線開孔３７ｂ、３７ｂに沿って保護線２０を挿入する。次に保護線２０をＵ字開孔３７ａの裏面に通した後、上下方向に強く引張ることにより、保護線２０が一対の直線開孔３７ｂ、３７ｂから外方へ外れることはない（図５（ｂ）参照）。
【００３４】
次に図６（ａ）（ｂ）により、エレベータの保護線取付構造の他の変形例について説明する。図６（ａ）（ｂ）に示すエレベータの保護線取付構造は固定具３０の構成が異なるのみであり、他の構成は図１（ａ）（ｂ）乃至図３および図６および図７に示す実施の形態と略同一である。
【００３５】
図６（ａ）（ｂ）に示す変形例において、図１（ａ）（ｂ）乃至図３および図６および図７に示す実施の形態と同一部分には同一符号を付して詳細な説明は省略する。
【００３６】
図６（ａ）（ｂ）に示すように、固定具３０は固定開口３８が形成された固定板３１と、固定開口３８内に挿入される２股の弾性ピン４０とを有している。
【００３７】
弾性ピン４０は金属製材料からなり、支持部４１と、支持部４１から延びる一対の脚部４２、４２と、各脚部４２、４２から拡がって形成された折曲部４３、４３とを有している。
【００３８】
そして弾性ピン４０の支持部４１内を保護線２０が通過する。
【００３９】
図６（ａ）（ｂ）において、弾性ピン４０の支持部４１内に保護線２０を通過させ、弾性ピン４０の一対の脚部４２、４２を狭める（図６（ａ）参照）。次に折曲部４３、４３側から固定開口３８内に弾性ピン４０を挿入し、その後脚部４２、４２の折曲部４３、４３を固定部３１の縁部で拡げる。
【００４０】
このようにして固定板３１に弾性ピン４０を係止することができ、かつ弾性ピン４０の支持部４１内に保護線２０を通すことができる。このようにして保護線２０が弾性ピン４０から外れることを効果的に防止することができる。
【００４１】
次に図７により、エレベータの保護線取付構造の他の変形例について説明する。図７に示すエレベータの保護線取付構造は固定具３０の構成が異なるのみであり、他の構成は図４に示す実施の形態と略同一である。
【００４２】
図７に示す変形例において、図４に示す実施の形態と同一部分には同一符号を付して詳細な説明は省略する。
【００４３】
図７に示すように、固定具３０は固定板３１と、固定板３１の縁部に設けられた一対のＣ形部材３５ａ、３５ｂとを有している。一対のＣ形部材３５ａ、３５ｂは上下方向に配置され、かつ各Ｃ形部材３５ａ、３５ｂは開口を有するとともに、各Ｃ形部材３５ａ、３５ｂの開口は互いに逆向きとなっている。
【００４４】
また固定板３１は挿入口３１Ａを有する一対の部分３１Ｂ、３１Ｂからなり、固定板３１は支持体４５により着脱自在に支持されている。すなわち図７において、固定板３１の挿入口３１Ａ内に支持板４５が挿入されて、固定板３１は支持体４５により着脱自在に支持されている。
【００４５】
図７において、保護線２０を予め緩めておき、各Ｃ形部材３５ａ、３５ｂの開口側から保護線２０を各Ｃ形部材３５ａ、３５ｂ内に挿入する。次に保護線２０を上下方向に強く引張ることにより、保護線２０が各Ｃ形部材３５ａ、３５ｂから外方へ外れることはない。
【００４６】
またこのように保護線２０が挿通した固定板３１を、乗り場２１ａ、２１ｂ、２１ｃ側に設けられた支持体４５に取付ける。このことにより固定板３１を容易かつ簡単に支持体４５により着脱自在に支持することができる。
【符号の説明】
【００４７】
１  昇降路
２０  エレベータの保護線
３０  固定具
３１  固定板
３１Ａ  挿入口
３２  開口
３３  切欠き
３５ａ、３５ｂ  Ｃ形部材
３７ａ  Ｕ字開孔
３７ｂ  直線開孔
４０  弾性ピン
４１  支持部
４２  脚部
４３  折曲部
４５  支持板
【図１】
2015134660.tif 000003
【図２】
2015134660.tif 000004
【図３】
2015134660.tif 000005
【図４】
2015134660.tif 000006
【図５】
2015134660.tif 000007
【図６】
2015134660.tif 000008
【図７】
2015134660.tif 000009
【図８】
2015134660.tif 000010
【図９】
2015134660.tif 000011